(57)【要約】      （修正有）【課題】セルロイドやピアノ線を用いての不正行為の対象となる賞球払出ユニットのスプロケット付近に満タン検出スイッチを配置した場合において、賞球払出に関連した他のエラー報知が同時発生している状況下でも、不正行為が実行される可能性があることをホールスタッフにただちに報知する手段の提供。【解決手段】満タン検出スイッチを賞球払出ユニットに配置すると共に、賞球払出に関連した他のエラー報知よりも優先させて、当該満タン検出スイッチの検出に係るエラーを報知するよう構成されているパチンコ遊技機。【選択図】図２７
2011167386.tif 000002
【特許請求の範囲】
【請求項１】
遊技球の流下に基づく遊技を実現する遊技盤を内包する遊技機枠と、
該遊技機枠に対して着脱自在に装着された賞球払出ユニットと、
該賞球払出ユニットの駆動を制御する制御手段と、を有する遊技機枠ユニットであって、
前記賞球払出ユニットは、
前記遊技球が通過する第１供給通路と、
該第１供給通路から導かれた遊技球が流入する球入口を有し、流入した遊技球が通過する第２供給通路と、
前記第１供給通路と前記第２供給通路との間に配置され、かつ該第１供給通路内の遊技球を１球ずつ該第２供給通路に向けて通過させる回転体を有する球誘導部材と、
該回転体を回転駆動する駆動手段と、
前記第２供給通路の一部を構成し、かつ該第２供給通路の通路幅を狭める位置と該通路幅を広げる位置との間で移動する第１揺動部材と、
前記第１揺動部材の位置に基づいて前記第２供給通路内に複数の遊技球が溜まった滞留状態を検出する第１滞留検出手段と、を備えており、
前記第２供給通路は、複数の屈曲部を有しており、
前記第１揺動部材は、その下端部が曲線形状であって、自重によって該下端部が前記第２供給通路を構成する第１壁面よりも通路内側に移動して前記通路幅を狭める位置となるように構成されており、
前記第１揺動部材の下面と該第１揺動部材の下方に配置された前記第１壁面との間には、隙間が設けられており、
該第１揺動部材の該下面は、前記第２供給通路の通路内側から通路外側に向かって上方に傾斜しており、
前記第１揺動部材が前記第２供給通路の通路幅を狭める位置に移動した状態では、該第２供給通路を構成する壁面のうち該第１揺動部材に対向して配置された第２壁面と該第１揺動部材との間の幅寸法と、該第２供給通路の前記球入口の幅寸法と、が略同一となるように構成されており、
前記制御手段は、前記第１滞留検出手段が前記滞留状態を検出した場合に前記球誘導部材の駆動を制限する駆動制御を実行するように構成されている、遊技機枠ユニットを有するパチンコ遊技機において、
前記賞球払出ユニットは、
第１供給通路の一部を構成し、かつ該第１供給通路の通路幅を狭める位置と該通路幅を広げる位置との間で移動する第２揺動部材と、
前記第２揺動部材の位置に基づいて前記第１供給通路内に遊技球が溜まった滞留状態を検出する第２滞留検出手段と、を更に有しており、
前記パチンコ遊技機は、
前記第１滞留検出手段により滞留状態が検出された場合には第１のエラー報知を実行し、前記第２滞留検出手段により非滞留状態が検出された場合には第２のエラー報知を実行するエラー報知制御手段
を更に有しており、
前記エラー報知制御手段は、
一定時間毎に設定された報知実行タイミングに到達した際、前記第１滞留検出手段により滞留状態が既に検出された状態であり且つ前記第２滞留検出手段により非滞留状態が既に検出された状態である場合には、第１のエラー報知を優先的に実行する
ことを特徴とするパチンコ遊技機。
【発明の詳細な説明】
【技術分野】
【０００１】
本発明は、賞球の払出しを実行する賞球払出ユニットの下流側における遊技球の滞留状態を検出することができる遊技機枠ユニットを備えたパチンコ遊技機であって、遊技球が滞留状態にあるときに迅速にエラー報知可能なパチンコ遊技機に関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
パチンコ機の背面側には、遊技球を遊技領域に向けて発射する発射装置や、遊技者に向けて賞球を払出すための賞球払出ユニットや、遊技球の発射及び賞球の払出しを制御する制御手段等が配置されている。この制御手段は、遊技領域の入賞口に遊技球が入球したことを契機として、賞球払出ユニットを介して遊技者へ賞球の払出しを実行する。
【０００４】
賞球払出ユニットから払い出された遊技球は、遊技機枠に設けられた球通路を介して球皿に供給される。また、球皿の近傍には、球皿に遊技球が満杯であることを検出する満タン検出手段が設けられている（例えば、特許文献１参照）。そして、満タン状態が継続している場合に、賞球の払出しの停止等、遊技の中断処理が行われる。
【０００５】
特許文献１に記載の遊技機は、賞球払出装置から供給された遊技球を貯留する打球供給皿と、この打球供給皿が満杯となりそれ以上貯留できなくなった余剰球を貯留する余剰球受皿と、を備える。また、余剰球受皿の裏面側には、余剰球受皿が満杯になったことを検出する満タン検出スイッチが設けられている。
【先行技術文献】
【特許文献】
【０００６】
【特許文献１】特開平５−２３７２４７号公報
【発明の概要】
【発明が解決しようとする課題】
【０００７】
特許文献１に記載の遊技機の満タン検出スイッチは、余剰球受皿の裏面側に配置されており、余剰球受皿と満タン検出スイッチまでの距離が比較的短い。したがって、余剰球受皿内の遊技球が満杯となると、比較的直ぐに満タン検出スイッチが満タン状態を検出し、この満タン状態の検出に伴って、遊技の中断処理が実行される。したがって、遊技の中断頻度が高くなり、円滑な遊技の実行が妨げられることがあった。
【０００８】
本発明は、上記の事情に鑑みて為されたものであり、円滑な遊技を実行しつつ、賞球払出ユニットによって払い出した遊技球の滞留状態を検出することができる遊技機枠ユニットを提供することを第１の例示的課題とする。
【０００９】
更に、一般に賞球払出ユニットの上流側（スプロケットの上流側）には、球切れ検出スイッチが備えられている。そして、球切れ検出スイッチにより球切れが検出された場合、当該球切れが発生したことをいち早くホールスタッフに認識させるため、外部に対してエラー報知がなされる。ここで、前述した満タン検出スイッチにより満タンが検出された場合も、外部に対してエラー報知がなされることが一般的である。この理由は、上皿に溜まった遊技球の排出を遊技者に促すこともあるが、不正行為発生の可能性があることをホールスタッフに知らせる目的もある。即ち、所謂セルロイドゴトやピアノ線ゴトと称される不正行為の一手法として、上皿から賞球払出経路に向けてセルロイドやピアノ線を侵入させ、賞球払出ユニットのスプロケットを回転させて不正に賞球を払い出させる方法がある。ここで、この手法による不正行為の場合、セルロイド等が満タン検出スイッチをつつくことで満タン検出スイッチが短時間検出状態となる。ここで、前述した場合、スプロケットが存在する上流にセルロイド等が近づく程、不正行為が実行されるタイミングが差し迫っていることを意味する。ところで、従来のように、上皿の出口付近に満タン検出スイッチが備えられている場合には、内部に配置されたスプロケットまでの距離が十分にあるために、不正行為が実際に実行されるまでの時間的猶予がある程度担保されている。しかしながら、満タン検出スイッチを上皿よりも上流、具体的には賞球払出ユニットに配置した場合には、内部に配置されたスプロケットまでの距離が殆ど無いために、不正行為が実際に実行されるまでの時間的猶予は殆ど無い。このような場合、前述した球切れ検出スイッチによる球切れが検出されたときに珠切れに係るエラー報知が実行されている状況下、満タン検出スイッチによる満タン検出がなされた場合、当該球切れに係るエラー報知処理の実行が終了するまで当該満タン検出に係るエラー報知処理を待機しなくてはならない。しかしながら、前述のように、不正行為が実行されるまでの時間的猶予が殆ど無い状況でありながら、不正行為とは関係無い、必ずしもただちに対応しなくてもよいエラー報知が先に実行されてしまうことは好ましくない。そこで、本発明は、セルロイドやピアノ線を用いての不正行為の対象となる賞球払出ユニットのスプロケット付近に満タン検出スイッチを配置した場合において、賞球払出に関連した他のエラー報知が同時発生している状況下でも、不正行為が実行される可能性があることをホールスタッフにただちに報知する手段を提供することを第２の例示的課題とする。
【課題を解決するための手段】
【００１０】
上記の第１の例示的課題を解決するために、本発明の例示的側面としての遊技機枠ユニットは、遊技球の流下に基づく遊技を実現する遊技盤を内包する遊技機枠と、遊技機枠に対して着脱自在に装着された賞球払出ユニットと、賞球払出ユニットの駆動を制御する制御手段と、を有する遊技機枠ユニットであって、賞球払出ユニットは、遊技球が通過する第１供給通路と、第１供給通路から導かれた遊技球が通過する第２供給通路と、第１供給通路と第２供給通路との間に配置され、かつ第１供給通路内の遊技球を１球ずつ第２供給通路に向けて通過させる球誘導部材と、第２供給通路の一部を構成し、かつ第２供給通路の通路幅を狭める位置と通路幅を広げる位置との間で移動する第１揺動部材と、第１揺動部材の位置に基づいて第２供給通路内に複数の遊技球が溜まった滞留状態を検出する第１滞留検出手段と、を備えており、第１揺動部材は、自重によって通路幅を狭める位置に移動するように構成されており、制御手段は、第１滞留検出手段が滞留状態を検出した場合に球誘導部材の駆動を制限する駆動制御を実行するように構成されている。
【００１１】
賞球払出ユニットは、遊技盤を内包する遊技機枠に対して着脱自在に装着されている。賞球払出ユニットが着脱自在であることにより、賞球払出ユニットを容易に取り外して、賞球払出ユニットの点検等のメンテナンスを行うことができる。賞球払出ユニットと遊技機枠とが一体に形成されている構成と比べて、賞球払出ユニットのみの交換を容易に行うことができると共に、メンテナンスの際の分解作業も容易に行うことができ、メンテナンス効率を向上させることができる。
【００１２】
賞球払出ユニットは、遊技球が通過する第１供給通路と、第１供給通路から導かれた遊技球が通過する第２供給通路と、第１供給通路と第２供給通路との間に配置され、かつ第１供給通路内の遊技球を１球ずつ第２供給通路に向けて通過させる球誘導部材と、第２供給通路の一部を構成し、かつ第２供給通路の通路幅を狭める位置と通路幅を広げる位置との間で移動する第１揺動部材と、第１揺動部材の位置に基づいて第２供給通路内に複数の遊技球が溜まった滞留状態を検出する第１滞留検出手段と、を備えており、第２供給通路内に遊技球が滞留した滞留状態を検出することができる。
【００１３】
例えば、賞球払出ユニットから排出した遊技球を球皿に導くよう構成した遊技機枠ユニットにおいては、球皿内に遊技球が満杯で更なる遊技球を収容できない状態（満タン状態）となると、遊技球は球皿に供給されず、球誘導部材の下流側の第２供給通路内に滞留する。この第２供給通路に遊技球が滞留した状態を第１滞留検出手段によって検出することにより、球皿の満タン状態を検出することができる。
【００１４】
第１滞留検出手段によって球皿の満タン状態を検出することにより、球皿の直上に設けられた満タン検出手段によって球皿の満タン状態を検出する構成と比べて、球皿から球誘導部材までの空間に遊技球を貯留することができるため、満タン状態を検出するまでに収容可能な遊技球数を増やすことができ、球皿が満杯になったことに基づく遊技の中断頻度を低減することができる。
【００１５】
したがって、球皿の近傍に満タン検出スイッチを設ける構成と比べて、満タン状態を検出するタイミングや遊技を中断するタイミングを比較的遅延させることができ、遊技の中断を防止して円滑な遊技の継続を実行することができる。
【００１６】
また、第１揺動部材は、自重によって第２供給通路の通路幅を狭める位置に移動するように構成されており、供給通路内に遊技球が滞留した状態において供給通路内の通路幅を広げる位置に移動するため、必要に応じて滞留した遊技球の収容スペースを広くすることができる。したがって、遊技球の貯留数を適宜増やすことができ、遊技球が満杯状態であることに基づく遊技の中断頻度を低減することができる。
【００１７】
なお、第１滞留検出手段は、複数の遊技球が第２供給通路内に溜まっていることを検出することができるものであればよく、種々の構成を採用することができる。また、滞留状態として検出する第２供給通路内の遊技球数は、任意の数であればよく、一定数としてもよいし適宜変化させてもよい。また、滞留状態として検出する基準となる遊技球数は、第２供給通路の収容可能な遊技球数や、賞球払出ユニットの下流の収容球数等に応じて適宜設定することができる。
【００１８】
また、第１滞留検出手段の検出結果に基づいて球誘導部材の駆動を制御する制御手段を更に備えており、制御手段は、第１滞留検出手段が滞留状態を検出した場合に、球誘導部材の駆動を制限する駆動制御を実行する。
【００１９】
第１滞留検出手段は、第２供給通路内に複数の遊技球が滞留した滞留状態を検出しており、この滞留状態が検出された際に球誘導部材を駆動し続けると、第２供給通路内に滞留した遊技球が更に多くなり、第２供給通路内で球詰まりが発生するおそれがある。したがって、制御手段によって第２供給通路内の遊技球の滞留状態に応じて球誘導部材の駆動を制限する制御することが望ましい。制御手段を設けることにより、球誘導部材の下流の滞留状態に基づいて球誘導部材の駆動を制限して、第２供給通路内の球詰まりを防止することができる。
【００２０】
球誘導部材の駆動の制限とは、球誘導部材の駆動を停止させたり、駆動速度を低下させたり、球誘導部材を間欠駆動させたりする構成を例示できるが、これらに限定されず、球誘導部材の下流に配置された第２供給通路の球詰まりを防止できるような駆動制御を全て含む概念である。
【００２１】
また、制御手段は、第１滞留検出手段が滞留状態を検出した場合に、所定時間の経過を待って球誘導部材の駆動を制限する駆動制御を実行するように構成してもよい。このように、所定時間の経過後に駆動制限することにより、滞留状態の検出タイミングに対して球誘導部材の停止タイミング等を適宜遅延させることができる。例えば、滞留状態の検出タイミングと球誘導部材の停止タイミングとを略同時にすると、第２供給通路内の滞留状態を検出した直後に賞球払出ユニットによる賞球の払出しが停止し、遊技の中断頻度が高くなる。
【００２２】
しかし、滞留状態の検出タイミングに対して球誘導部材の停止タイミング等を適宜遅延させることにより、滞留状態を検出してから滞留状態が解消する時間を設けて、遊技の中断頻度を低下させることができる。例えば、第１滞留検出手段によって滞留状態を検出した直後に、球皿内の遊技球を抜く作業を遊技者に対して促す処理を行う。遊技者によって球抜き作業が実行されることにより、滞留状態が解消し、遊技を中断せずに継続することが可能となる。
【００２３】
なお、所定時間とは、第２供給通路の収容可能な遊技球数や、第２供給通路の下流における収容可能な遊技球数に基づいて定めたり、球抜き処理に必要な時間や第１滞留検出手段の配置や構造等に基づいて定めたりすることが望ましい。
【００２４】
第１供給通路及び球誘導部材は、遊技球が通過する２列の球通路と、球通路間に配置された仕切り部と、を有しており、第２供給通路の遊技球が通過する球通路の断面積は、第１供給通路の２列の球通路の断面積よりも広く構成されており、球誘導部材の近傍には、光を投光する投光部と、投光部からの光を受光する受光部と、を有し、球誘導部材が第２供給通路に向けて導く遊技球によって投光部からの光が遮光されることにより、遊技球の通過を検出する球検出部材が設けられており、投光部と受光部とは、２列の球通路と仕切り部とを挟んで離間して配置されており、仕切り部には、投光部からの光を受光部に向けて通過させるための穴部が形成されている。
【００２５】
第１供給通路及び球誘導部材は、遊技球が通過する２列の球通路と、球通路間に配置された仕切り部と、を有しており、第１供給通路は２列で遊技球を通過させるため、球通路が１列の第１供給通路と比較して、遊技球の収容スペースを広く設けることができると共に、単位時間当たり球誘導部材に向けて導く遊技球数を多くすることができる。更に、球誘導部材においても、第１供給通路の各球通路を通過した球を２列で通過させるため、球通路が１列の球誘導部材と比べて、単位時間当たりの遊技球の通過球数を多くすることができ、第１供給通路から第２供給通路に向けての円滑な遊技球の通過を実現することが可能となる。
【００２６】
更に、第２供給通路の遊技球が通過する球通路の断面積は、第１供給通路の２列の球通路の断面積よりも広く構成されているため、第１供給通路から第２供給通路に向けての円滑な遊技球の通過を実現することが可能となる。なお、第１供給通路及び第２供給通路の断面積とは、遊技球の通過方向と直交する平面における断面積であり、段面積が広い程、単位時間当たりの遊技球の通過球数が多くなるように構成される。
【００２７】
また、球誘導部材の近傍には、投光及び受光によって遊技球の通過を検出する球検出部材が配置されている。球検出部材は、非接触で遊技球を検出しており、遊技球の通過に悪影響を与えることなく通過する遊技球を確実に検出することが可能となる。更に、球検出部材の投光部と受光部は、２列の球通路及び仕切り部を挟んで離間して配置されており、仕切り部に穴部が形成されていることにより、１つの球検出部材によって２列の球通路を通過する遊技球を検出することができる。
【００２８】
上記の第２の例示的課題を解決するために、本発明の例示的側面としてのパチンコ遊技機は、更に下記構成を採る。即ち、前記賞球払出ユニットは、第１供給通路の一部を構成し、かつ該第１供給通路の通路幅を狭める位置と該通路幅を広げる位置との間で移動する第２揺動部材（球有り検出片１０８ａ）と、前記第２揺動部材（球有り検出片１０８ａ）の位置に基づいて前記第１供給通路内に遊技球が溜まった滞留状態を検出する第２滞留検出手段（球有りセンサ１０８ｂ）と、を更に有している。更に、前記パチンコ遊技機は、前記第１滞留検出手段（揺動センサ１３０ｂ）により滞留状態が検出された場合には第１のエラー報知を実行し、前記第２滞留検出手段（球有りセンサ１０８ｂ）により非滞留状態が検出された場合には第２のエラー報知を実行するエラー報知制御手段（エラー制御手段３２００等）を更に有している。そして、前記エラー報知制御手段（エラー制御手段３２００等）は、一定時間毎に設定された報知実行タイミングに到達した際、前記第１滞留検出手段（揺動センサ１３０ｂ）により滞留状態が既に検出された状態であり且つ前記第２滞留検出手段（球有りセンサ１０８ｂ）により非滞留状態が既に検出された状態である場合には、第１のエラー報知を優先的に実行する。
【００２９】
本発明の更なる目的又はその他の特徴は、以下添付図面を参照して説明される好ましい実施の形態によって明らかにされるであろう。
【発明の効果】
【００３０】
本発明によれば、賞球払出ユニットが遊技機枠に対して着脱自在に構成されていることにより、賞球払出ユニットを容易に取り外して点検等のメンテナンスを行うことができ、メンテナンスの作業効率を高めることができる。また、第２供給通路内に複数の遊技球が溜まった滞留状態を検出する第１滞留検出手段を備えており、第２供給通路内に遊技球が滞留した滞留状態及びその下流における球皿等の満タン状態を検出することができる。球皿の近傍に満タン検出スイッチを設ける構成と比べて、満タン状態を検出するタイミングや遊技を中断するタイミングを比較的遅延させることができ、遊技の中断を低減して円滑な遊技を実行することができる。
【００３１】
更に、本発明によれば、満タン検出スイッチを賞球払出ユニットに配置すると共に、賞球払出に関連した他のエラー報知よりも優先させて、当該満タン検出スイッチの検出に係るエラーを報知するよう構成されているので、不正行為が実行される可能性があることをホールスタッフにただちに報知することが可能になるという効果をも奏する。
【図面の簡単な説明】
【００３２】
【図１】本発明の実施の形態に係るパチンコ機の正面図である。
【図２】図１に示すパチンコ機の背面図である。
【図３】図２に示すパチンコ機からカバー部材と遊技盤ユニットを外した状態の背面図である。
【図４】右後方から視認したパチンコ機の賞球払出ユニット部分の拡大斜視図である。
【図５】右後方から視認したパチンコ機の賞球払出ユニット部分の拡大斜視図である。
【図６】賞球払出ユニットを右後方から視認した斜視図である。
【図７】右構成部材を外した状態の賞球払出ユニットの右側面図である。
【図８】左構成部材を外した状態の賞球払出ユニットの左側面図である。
【図９】図７に示す球有り検出手段の拡大図である。
【図１０】回転体部分を拡大した斜視図である。
【図１１】カウントセンサと回転体とを模式的に示した図である。
【図１２】図８に示す切替弁の拡大図である。
【図１３】図７に示す揺動部材の拡大図である。
【図１４】図７に示す第２供給通路の拡大図である。
【図１５】変形例に係る第２供給通路の拡大図である。
【図１６】本最良形態に係るパチンコ遊技機の機能ブロック図である。
【図１７】本最良形態に係るパチンコ遊技機のメイン制御基板及び払出制御基板間で送受信されるコマンド及び情報の内容を示した図である。
【図１８】本最良形態に係るパチンコ遊技機における、主制御基板側で実行する処理のフローチャートである。
【図１９】本最良形態に係るパチンコ遊技機における、未払出賞球（賞球払出コマンド送信前）管理処理のフローチャートを示したものである。
【図２０】本最良形態に係るパチンコ遊技機における、対払出制御基板送信制御処理のフローチャートを示したものである。
【図２１】本最良形態に係るパチンコ遊技機における、対払出制御基板受信制御処理のフローチャートを示したものである。
【図２２】本最良形態に係るパチンコ遊技機における、エラー時対応制御処理のフローチャートを示したものである。
【図２３】本最良形態に係るパチンコ遊技機における、払出制御基板におけるメインルーチンを示すフローチャートである。
【図２４】本最良形態に係るパチンコ遊技機における、賞球払出関連情報受信処理（対主制御基板）のフローチャートである。
【図２５】本最良形態に係るパチンコ遊技機における、賞球払出制御処理のフローチャートである。
【図２６】本最良形態に係るパチンコ遊技機における、エラー判定・エラー時対応制御処理のフローチャートである。
【図２７】本最良形態に係るパチンコ遊技機の作用を示すタイミングチャートである。
【発明を実施するための形態】
【００３３】
以下、本発明の実施の形態について図面を用いて説明する。図１は、本発明の実施の形態に係る遊技機枠ユニットを備えるパチンコ機２の正面図である。このパチンコ機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。
【００３４】
パチンコ機２は、遊技者が後述する発射装置ハンドル１５を操作することによって、遊技領域１６に向けて遊技球２３が発射ユニットによって発射され、遊技球２３の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３５】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００３６】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。遊技機枠ユニットは、遊技盤ユニット５を保持する前枠９と、後述する賞球払出ユニット１００と、によって構成されている。
【００３７】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００３８】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００３９】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００４０】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００４１】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００４２】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００４３】
センター役物７は、演出表示装置７ａの周囲を覆うように構成されており、図柄変動遊技（１種遊技）を実現するものである。センター役物７の上部には、図柄表示手段としての第１図柄（特別図柄)表示装置１７が配置されると共に、センター役物７の中央部には、演出表示装置７ａが配置されている。
【００４４】
第１図柄表示装置１７には、抽選手段の抽選結果である第１図柄１７ａの変動が表示される。第１図柄は、始動入賞口２９への遊技球２３の入球を契機として実行される抽選の結果に対応した図柄である。第１図柄の変動表示が所定の当選態様で停止することにより第１特別遊技としての大当りが発生する。
【００４５】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する表示図柄（第１装飾図柄）７ｃの表示がなされる。表示図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４６】
遊技盤６の裏面側には、パチンコ機２の全体の制御を行う主制御手段（主制御基板）２００を収容した主制御基板ケース３５と、演出表示装置７ａの画像表示等の演出制御を行う演出制御手段（演出制御基板）２２０を収容した演出制御基板ケース３６と、後述する賞球払出ユニット１００による賞球の払出しを制御する払出制御手段（払出制御基板）２３０を収容した払出制御基板ケース３７と、電源手段（図示せず）を収容した電源基板ケース３８と、が配置されている。この各制御基板ケースに収容された各制御手段によって遊技が実現される。主制御基板ケース３５と演出制御基板ケース３６とは、遊技盤ユニット５の後面に装着されており、遊技盤ユニット５と共に前枠９に対して着脱自在に構成されている。また、主制御手段２００及び払出制御手段２３０は、本発明に係る制御手段、の機能を備えている。
【００４７】
更に、遊技盤６の裏面側には、パチンコ機２の遊技状態等の遊技情報を外部に出力するための外部出力端子板３９が設けられている。また、パチンコ機２の背面側には、演出制御基板ケース３６及び賞球払出ユニット１００の一部を覆うカバー部材４２が設けられている。
【００４８】
また、図２に示すように、パチンコ機２の背面には、パチンコ機２が設置されるホールの設備から供給された遊技球２３を一時的に貯留するための遊技球貯留装置としての球貯留タンク４０と、球貯留タンク４０からの遊技球２３が流入し、この遊技球２３を１球ずつ通過させる賞球払出ユニット１００と、賞球払出ユニット１００を通過した遊技球２３を球皿１４に向かって導く賞球供給通路４１と、を備えている。
【００４９】
賞球払出ユニット１００は、後述する払出制御手段２３０によって駆動制御されるように構成されており、各種入賞口への遊技球２３の入球や、遊技者からの遊技球２３の貸出し要求に応じて、遊技者に遊技球２３を供給するように構成されている。本実施の形態では、各種入賞口への遊技球２３の入球に基づく賞球の払出処理について例示説明する。この賞球払出ユニット１００については後述する。
【００５０】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定賞球数の払出しの契機となり、あるものはいずれの入球装置にも流入せずに遊技領域１６内最下部に位置するアウト口３０に流入してアウト球としてパチンコ機２の外部側へと排出される。
【００５１】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００５２】
次いで、図３から図１４に基づいて実施の形態に係る賞球払出ユニット１００について詳細に説明する。図３は、図２に示すパチンコ機２から背面を覆うカバー部材４２と遊技盤ユニット５とを外した状態の背面図である。図４及び図５は、図３に示すパチンコ機２の賞球払出ユニット１００部分を右後方から視認した拡大斜視図である。図６は、賞球払出ユニット１００を右後方から視認した斜視図である。
【００５３】
賞球払出ユニット１００は、遊技盤６を内包する前枠９に対して着脱自在に装着されている。図４は、前枠９に装着された状態を示しており、図５は、前枠９から取り外した状態を示している。賞球払出ユニット１００は、正面視における右側部分を構成する右構成部材１０１、左側部分を構成する左構成部材１０２、及び右構成部材１０１と左構成部材１０２とに内包され、後述する第１右供給通路（第１供給通路）１０６及び第１左供給通路（第１供給通路）１０７を構成する中央構成部材１０３によって構成されている。
【００５４】
図７は、右構成部材１０１を外した状態の賞球払出ユニット１００の右側面図である。図８は、左構成部材１０２を外した状態の賞球払出ユニット１００の左側面図である。賞球払出ユニット１００の上面１００ｃには、球貯留タンク４０から供給された遊技球２３が流入する２つの流入口１０４、１０５が形成されており、各流入口１０４、１０５の下流には各々供給通路が配置している。
【００５５】
流入口は、右側に位置する右流入口１０４と、左側に位置する左流入口１０５と、を有する。右流入口１０４から流入した遊技球２３は、右側に配置された第１右供給通路１０６に流入し、左流入口１０５から流入した遊技球２３は、左側に配置された第１左供給通路１０７に流入する。
【００５６】
第１右供給通路１０６と第１左供給通路１０７は、左右方向に隣接した２列の球通路であり、第１右供給通路１０６と第１左供給通路１０７との間には、中央構成部材１０３が配置されている。中央構成部材１０３は、第１右供給通路１０６と第１左供給通路１０７との間に配置される仕切り部１０３ａと、仕切り部１０３ａの右側面及び左側面から突設した突起壁部と、を有する。
【００５７】
突起壁部は、仕切り部１０３ａから右方（右構成部材１０１側）に向かって突出した右突起壁部１０３ｂと、仕切り部１０３ａから左方（左構成部材１０２側）に向かって突出した左突起壁部１０３ｃと、を有する。右突起壁部１０３ｂの右端部（図示せず）は、右構成部材１０１の内壁面（図示せず）と当接しており、右突起壁部１０３ｂと右構成部材１０１とによって囲まれた空間が第１右供給通路１０６となる。また、左突起壁部１０３ｃの左端部（図示せず）は、左構成部材１０２の内壁面（図示せず）と当接しており、左突起壁部１０３ｃと左構成部材１０２とによって囲まれた空間が第１左供給通路１０７となる。
【００５８】
また、賞球払出ユニット１００は、第１右供給通路１０６又は第１左供給通路１０７に遊技球２３が有ることを検出する球有り検出手段１０８を備えている。図９は、図８に示す球有り検出手段１０８の拡大図である。球有り検出手段１０８は、回転軸を中心に回転方向（図９に示すＸ方向及び−Ｘ方向）に移動する球有り検出片１０８ａと、球有り検出片１０８ａの位置を検出する球有りセンサ１０８ｂと、を備える。
【００５９】
球有り検出片１０８ａは、図９（ａ）に示す第１位置と、（ｂ）に示す第２位置と、の間を移動する。球有り検出片１０８ａは、第１右供給通路１０６内の遊技球２３及び第１左供給通路１０７内の遊技球２３と干渉するように構成されており、第１右供給通路１０６又は第１左供給通路１０７内に遊技球２３が有ると遊技球２３に押圧されて第１位置となり、第１右供給通路１０６又は第１左供給通路１０７内に遊技球２３が無いと第２位置となる。
【００６０】
球有りセンサ１０８ｂは、球有り検出片１０８ａが第１位置にあること、すなわち第１右供給通路１０６又は第１左供給通路１０７に遊技球が有ることを検出する。エラー制御手段３２００は、球有りセンサ１０８ｂの検出情報に基づいて、賞球払出ユニット１００の異常の有無を判定するエラー判定処理を行う。このエラー判定処理については後述する。
【００６１】
第１右供給通路１０６及び第１左供給通路１０７を通過した遊技球２３は、回転体（スプロケット）１４１に導かれる。回転体１４１は、遊技球２３を１球ずつ保持可能な保持部１４１ｂが外周に形成された回転盤１４１ａと、回転盤１４１ａを回転駆動する駆動手段としてのモータ１４１ｄ（図６参照）と、を有する。図１０は、回転体１４１部分を拡大した斜視図である。
【００６２】
回転盤１４１ａは、左右方向に隣接して２枚配置されており、モータ１４１ｄによって回転軸１４１ｃを中心に同期して図示するＹ方向に向けて回転される。２枚の回転盤１４１ａの間には、仕切り部１０３ａが配置されている。また、仕切り部１０３ａを挟んで第１回転体通路（球通路）１４１ｅと、第２回転体通路（球通路）１４１ｆと、が配置されている。
【００６３】
各回転盤１４１ａには、３つの保持部１４１ｂが形成されており、１２０度回転する毎に第１右供給通路１０６を通過した遊技球２３又は第１左供給通路１０７を通過した遊技球２３を保持する。また、２枚の回転盤１４１ａの保持部１４１ｂは、略３０度ずつずれて形成されている。したがって、回転体１４１が３０度回転する毎に、第１右供給通路１０６を通過した遊技球２３と第１左供給通路１０７を通過した遊技球２３とが交互に回転体１４１に保持される。
【００６４】
保持部１４１ｂに保持された遊技球２３は、回転盤１４１ａの回転に伴って図示するＹ方向に移動し、第１回転体通路１４１ｅ又は第２回転体通路１４１ｆを通過して、回転体１４１の下流に設けられた第２供給通路１２０に向けて流下する。第１回転体通路１４１ｅ及び第２回転体通路１４１ｆは、回転体１４１の保持部１４１ｂに保持された遊技球２３が通過する球通路である。また、遊技球２３の通過を検出するカウントセンサ（球検出部材）１４３が設けられており、カウントセンサ１４３の検出に基づいて賞球払出ユニット１００によって払い出す賞球数を計数することができる。
【００６５】
図１１は、カウントセンサ１４３と回転体１４１とを模式的に示した図である。（ａ）は、正面図であり、（ｂ）は、右側面図である。カウントセンサ１４３は、一対の測定部１４３ａを有しており、測定部１４３ａ間の物体を光の投受光により検出するフォトセンサである。一対の測定部１４３ａは、光を投光する投光部と、投光部からの光を受光する受光部であり、回転体１４１及び仕切り部１０３ａを挟んで配置されている。仕切り部１０３ａには、測定部１４３ａにおいて投受光される光を通過させるための光孔部（穴部）１０３ｅが形成されている。カウントセンサ１４３は、一方の測定部１４３ａから投光した光を他方の測定部１４３ａによって受光しており、回転体１４１に保持された遊技球２３が通過すると、測定部１４３ａ間が遮光され、遊技球２３の通過を検出することができる。
【００６６】
このように構成されたカウントセンサ１４３によれば、仕切り部１０３ａを挟んで配置された２つの回転盤１４１ａを介した遊技球２３の通過を１つのカウントセンサ１４３で計測することが可能となる。なお、カウントセンサ１４３によって遊技球２３の通過が検出されると、後述する払出制御手段３３００によって遊技球が正常に払い出されたと判定される。
【００６７】
また、回転体１４１の前方には、第１右供給通路１０６内の遊技球２３及び第１左供給通路１０７の遊技球２３をパチンコ機２外部に排出するための排出通路１１７が設けられている。また、回転体１４１の上方には、遊技球２３の流路を切り替える切替弁１１８が設けられている。図１２は、図８に示す切替弁１１８の拡大図である。
【００６８】
切替弁１１８は、上部に位置する回転軸１１８ａを中心に回転方向（図１２に示すＺ方向）へ移動可能に構成されている。切替弁１１８は、第１右供給通路１０６及び第１左供給通路１０７の一部を構成し、第１右供給通路１０６及び第１左供給通路１０７の他部に対して離間するように移動し、第１右供給通路１０６内の遊技球２３及び第１左供給通路１０７内の遊技球２３を排出通路１１７に導く状態と回転体１４１に導く状態とを実現する。
【００６９】
切替弁１１８の前面は、前方に配置された操作部材１１９と当接している。操作部材１１９は、賞球払出ユニット１００の右構成部材１０１に形成された操作穴部１０１ａを貫通し、賞球払出ユニット１００の右側面１００ａから突出して配置されている（例えば、図６参照）。操作部材１１９は、賞球払出ユニット１００の外側から操作可能であり、操作穴部１０１ａ内において前後方向にスライド移動する。操作部材１１９は、（ａ）に示す第１位置と、（ｂ）に示す第２位置と、の間を移動する。
【００７０】
（ａ）に示すように操作部材１１９が第１位置の状態では、操作部材１１９が切替弁１１８のＺ方向への移動を規制している。第１右供給通路１０６及び第１左供給通路１０７の下部は前方に向かって曲がっており、切替弁１１８は、内部を通過する遊技球２３によって前方に押圧される。しかし、操作部材１１９が第１位置の状態では、操作部材１１９によって切替弁１１８のＺ方向への移動が規制されており、切替弁１１８は第１右供給通路１０６及び第１左供給通路１０７の他部に対して離間するように移動しない。よって、第１右供給通路１０６を通過した遊技球２３及び第１左供給通路１０７を通過した遊技球２３は、回転体１４１に導かれる。
【００７１】
一方、操作部材１１９を第２位置に移動すると、操作部材１１９による切替弁１１８のＺ方向への移動規制が解除される。したがって、切替弁１１８は、第１右供給通路１０６内の遊技球２３及び第１左供給通路１０７内の遊技球２３の自重によって押圧され、Ｚ方向に移動する。第１右供給通路１０６内の遊技球２３及び第１左供給通路１０７内の遊技球２３は、排出通路１１７に流入する。排出通路１１７に流入した遊技球２３は、図示しない排出経路を通過してパチンコ機２の外部に排出される。
【００７２】
また、回転体１４１の保持部１４１ｂは、回転に伴ってその位置が変化し、保持部１４１ｂが第１右供給通路１０６に対向した状態で第１右供給通路１０６内の遊技球２３を保持し、第１左供給通路１０７に対向した状態で第１左供給通路１０７内の遊技球２３を保持する（例えば、図１２（ｂ）参照。）。また、保持部１４１ｂが第１右供給通路１０６又は第１左供給通路１０７と対向していない状態では、回転盤１４１ａの外周面が保持部１４１ｂへの遊技球２３の流入を阻止している。（例えば、図１２（ａ）参照）。
【００７３】
切替弁１１８は、回転体１４１の直上に配置されており、操作部材１１９が第２位置に移動することにより、回転盤１４１ａの外周面と接している遊技球２３を含めた回転体１４１の上方に位置する遊技球２３を排出通路１１７に導く。したがって、回転体１４１の保持部１４１ｂに保持された遊技球２３よりも上流の遊技球２３を排出通路１１７に導くことができ、球抜き処理後に賞球払出ユニット１００に残留する遊技球数を低減することができる。
【００７４】
回転体１４１を通過した遊技球２３は、第２供給通路１２０に流入する。第２供給通路１２０は、１列の球通路である。第２供給通路１２０には、回転体１４１を通過した全ての遊技球２３が導かれており、第１右供給通路１０６からの遊技球２３と第１左供給通路１０７からの遊技球２３とが共に流入する。第２供給通路１２０の遊技球２３の通過方向と直交する断面における断面積は、第１右供給通路１０６の遊技球２３の通過方向と直交する断面における断面積と、第１左供給通路１０７の遊技球２３の通過方向と直交する断面における断面積と、を合わせた断面積よりも広くなるように構成されている。
【００７５】
第２供給通路１２０内には、遊技球の滞留状態を検出する滞留検出手段が設けられている。滞留検出手段１３０は、第２供給通路１２０を構成する壁面の一部を構成し、壁面の他部に対して移動する揺動部材１３０ａと、揺動部材１３０ａの位置を検出する揺動センサ１３０ｂと、を備える。
【００７６】
図１３は、図７に示す滞留検出手段１３０の拡大図である。揺動部材１３０ａは、第２供給通路１２０の後面を構成する後壁部１２０ａの一部を構成しており、上端に配置された回転軸を中心に回転方向に移動する（図示するＴ方向）。揺動部材１３０ａは、後壁部１２０ａと対向する前壁部１２０ｂに近接して第２供給通路１２０の通路幅を狭める第１位置と、前壁部１２０ｂから離間して第２供給通路１２０の通路幅を広げる第２位置と、の間を移動する。また、揺動部材１３０ａの後方には、揺動部材１３０ａが第２位置にあることを検出する揺動センサ１３０ｂが設けられている。
【００７７】
揺動部材１３０ａは、外力が作用しない状態では第１位置となり、第２供給通路１２０内に複数の遊技球２３が滞留した状態では遊技球２３によって押圧されて第２位置となる。また、揺動部材１３０ａが第２位置にあることを揺動センサ１３０ｂが検出すると、後述するエラー制御手段３２００によって異常の有無が判定されるように構成されている。更に、エラー判定手段２１１の判定結果に応じて、後述するエラー処理手段２１２によって、回転体の駆動停止処理や、遊技者に対して球皿１４から遊技球２３を抜く球抜き操作を促す処理が実行されるように構成されている。
【００７８】
第２供給通路１２０を通過した遊技球２３は、賞球供給通路４１に流入し、賞球供給通路４１を介して球皿１４に導かれる。しかし、球皿１４が満杯状態となると、遊技球２３を球皿１４に供給できず、賞球供給通路４１内に遊技球２３が貯留される。そして、賞球供給通路４１が満杯状態となると、賞球払出ユニット１００から遊技球２３を排出することができず、回転体１４１を通過した遊技球２３は、第２供給通路１２０内に溜まる。
【００７９】
そして、第２供給通路１２０内の遊技球２３が増えると、第２供給通路１２０に滞留した遊技球２３が揺動部材１３０ａを押圧し、揺動部材１３０ａが第２位置に移動する。揺動部材１３０ａの位置の検出に基づいて、球皿１４の満タン状態を検出することができる。また、第２供給通路１２０内への遊技球２３の滞留状態に応じて、揺動部材１３０ａが第２位置に移動して、第２供給通路１２０の容積を増やし、第２供給通路内に収容可能な遊技球数を増やすことができる。
【００８０】
また、第２供給通路１２０は、内部を通過する遊技球を上下方向に沿って通過させるように構成されており、その通路形状は複数の屈曲部を有している。複数の屈曲部を設けることにより、第２供給通路１２０を通過する過程で遊技球２３の通過方向を適宜変更することができ、遊技球２３を減速させることができる。更に、球出口１２０ｄから上方に向けて長尺部材が挿入された場合であっても、球出口１２０ｄの上方に第２供給通路１２０を構成する内壁面を配置することができ、異物の挿入による不正行為を防止することができる。
【００８１】
また、揺動部材１３０ａ及び揺動センサ１３０ｂによって賞球払出ユニット１００に対する不正行為を検出することができる。図１４は、図７に示す第２供給通路１２０の拡大図である。ここでいう賞球払出ユニット１００に対する不正行為とは、ピアノ線、セルロイド及び針金等の長尺部材を球皿１４から賞球払出ユニット１００に挿入し、回転体１４１を不正に回転させ、遊技球２３を不正に受け取る行為である。
【００８２】
回転体１４１を通過した遊技球２３が流入する第２供給通路１２０の球入口１２０ｃと、第２供給通路の球出口１２０ｄと、の位置関係は、一部分のみ重なるように前後方向にずれている。球入口１２０ｃと球出口１２０ｄとが重なった部分には、揺動部材１３０ａが配置されている。したがって、球出口１２０ｄから上方に向けて長尺部材が挿入された場合であっても、その長尺部材が球入口１２０ｃに直接接触できないため、長尺部材を用いた不正行為を防止することができる。
【００８３】
具体的には、球入口１２０ｃの下方から上方に向かって長尺部材が挿入された場合には、長尺部材は、揺動部材１３０ａと干渉して、球入口１２０ｃまで到達することができない（図１４に示すＬ１）。また、揺動部材１３０ａの前面に沿う位置となるように上方に向かって長尺部材が挿入された場合には、その延長線上に球入口１２０ｃが配置されていないため、長尺部材は球入口１２０ｃに到達しない（図１４に示すＬ２）。更に、揺動部材１３０ａよりも前方の位置となるように長尺部材が挿入された場合には、その延長線上に球入口１２０ｃが配置されていないため、長尺部材は球入口１２０ｃに到達しない（図１４に示すＬ３）。
【００８４】
以上のように、球入口１２０ｃと球出口１２０ｄとを前後方向にずらして配置することにより、長尺部材等の挿入による回転体１４１に対する不正行為を防ぐことができ、不正に賞球を得ようとする不正行為を防止することができる。また、揺動部材１３０ａは、外力が作用しない状態において第２供給通路１２０の通路幅を狭める第１位置となるため、長尺部材の挿入口を狭めて、長尺部材による不正行為を効果的に抑制することができる。
【００８５】
また、回転体１４１と第２供給通路１２０の位置関係は、変形例を概念することができる。図１５は、変形例に係る回転体１４１と第２供給通路１２０を示している。なお、同様の構成については、同符号を用いて説明を省略する。図１５に示す変形例は、球出口１２０ｄの上方に回転体１４１と第２供給通路１２０が配置されており、球出口１２０ｄから回転体１４１の側方に向かう鉛直方向の直線上（鉛直線上）に揺動部材１３０ａが配置されている。
【００８６】
具体的には、球入口１２０ｃの下方から回転体１４１の前方（側方）に向かって長尺部材が挿入された場合には、長尺部材は、揺動部材１３０ａと干渉して、回転体１４１の前方まで到達することができない（図１５に示すＬ４）。また、揺動部材１３０ａの前面に沿う位置となるように上方に向かって長尺部材が挿入された場合には、その延長線上に球入口１２０ｃが配置されており、回転体１４１まで到達することができる。しかし、長尺部材は、回転体１４１の下方に接触できるが、回転体１４１の側方や回転体１４１の上流に接触できないため、長尺部材によって回転体１４１を動かして、不正に賞球を得ることは難しい。
【００８７】
仮に、長尺部材が回転体１４１の側方に到達した場合には、側方から回転体の保持部１４１ｂに側方からアクセスし、長尺部材等を保持部１４１ｂに引っ掛けた状態で下方に長尺部材を引くことにより、回転体１４１を回転させて、不正に賞球を得る可能性がある。しかし、回転体１４１の下面にアクセスするのみでは、回転体１４１を不正に回転させることは難しいため、不正行為を防止することができる。
【００８８】
更に、揺動部材１３０ａよりも前方の位置となるように長尺部材が挿入された場合には、その延長線上に回転体１４１が配置されておらず、第２供給通路１２０の内壁面が配置されているため、長尺部材によって回転体１４１を回転させることはできない（図１５に示すＬ６）。以上のように、球出口１２０ｄと回転体１４１の側方とを前後方向にずらして配置することにより、長尺部材等の挿入による回転体１４１に対する不正行為を防ぐことができ、不正に賞球を得ようとする不正行為を防止することができる。また、揺動部材１３０ａは、外力が作用しない状態において第２供給通路１２０の通路幅を狭める第１位置となるため、長尺部材の挿入口を狭めて、長尺部材による不正行為を効果的に抑制することができる。
【００８９】
更に、球出口１３０ｄと対向して配置される揺動部材１３０ａの下端部１３０ｃは、曲線形状に形成されている。また、揺動部材１３０ａの下面１３０ｄと、その下方に配置された金属板１２１と、の間には、隙間ｋが形成されている。揺動部材１３０ａの下端部１３０ｃが曲線形状であり、その下方に隙間ｋが設けられていることにより、異物が挿入された際に、隙間ｋを介して第２供給通路１２０の内部から外部に異物を移動させることができる。第２供給通路１２０の内部から外部に異物を移動させることにより、第２供給通路１２０の上流に配置された回転体１４１に対する不正行為を防止することができる。
【００９０】
また、揺動部材１３０ａが通路幅を狭める位置にある状態では、揺動部材１３０ａと、この揺動部材１３０ａと対向する後壁面１２０ａと、の間の通路幅が球入口１２０ｃと略同幅となるように構成してもよい。このように、通路幅を狭める位置にある揺動部材１３０ａと、この揺動部材１３０ａと対向する後壁面１２０ａと、の間の通路幅を球入口１２０ｃと略同幅となるように構成することにより、揺動部材１３０ａが通路幅を狭めた状態においても、球入口１２０ｃから流入した遊技球２３を滞らせることなく、下流へ通過させることができる。
【００９１】
更に、また、揺動部材１３０ａが通路幅を広げる位置にある状態では、揺動部材１３０ａと、この揺動部材１３０ａと対向する前壁面１２０ｂと、の間の通路幅が球出口１２０ｄと略同幅となるように構成してもよい。このように、通路幅を広げる位置にある揺動部材１３０ａと、この揺動部材１３０ａと対向する前壁面１２０ｂと、の間の通路幅を球出口１２０ｄと略同幅となるように構成することにより、揺動部材１３０ａが通路幅を広げた状態において、第２供給通路１２０に収容されている遊技球２３を滞らせることなく、球出口１２０ｄから排出することができる。
【００９２】
また、第２供給通路１２０は、後壁部１２０ａ及び前壁部１２０ｂに沿った保護板としての金属板１２１を備えている（図１３及び図１４に示す斜線部）。金属板１２１を備えることにより、第２供給通路１２０の強度を高めることができる。特に、遊技球２３が衝突し易い部分に金属板１２１を配置することが望ましく、具体的には、球入口１２０ｃの直下に配置された傾斜面１２０ｅの延長線上に金属板１２１を設けている。このような部分に金属板１２１を配置することにより、遊技球２３が衝突する部分の強度を高め、遊技球２３の衝突による破損を効果的に防止することができる。
【００９３】
また、第２供給通路１２０の下方から長尺部材が挿入される不正行為がなされると、第２供給通路の内壁面（後壁部１２０ａ及び前壁部１２０ｂ）が損傷し、この内壁面の損傷により遊技球２３の円滑な通過に影響を及ぼすおそれがある。特に、第２供給通路１２０が樹脂製の場合には損傷が顕著となり、遊技球２３の通過速度の低下等の不具合が発生するおそれがある。しかし、比較的強度が高く、損傷を受け難い金属板１２１によって内壁面を覆うことにより、第２供給通路１２０の内壁面を保護することが可能となる。更に、金属板１２１は、内壁面に対して着脱自在に構成されており、適宜交換することが可能である。
【００９４】
更に、金属板１２１は、放電板としての機能を備えており、金属板１２１を介して遊技球２３の静電気を除去することが可能である。遊技球２３に静電気が帯電していると、電気部品の異常等の不具合が発生するおそれがあり、遊技球２３の静電気を適宜除去することが望ましい。例えば、金属板１２１をアース接続することにより、金属板１２１を介して遊技球２３に帯電した静電気を除去することができる。
【００９５】
金属板１２１は、後壁部１２０ａの一部と前壁部１２０ｂの一部とに設けられており、前壁部１２０ｂに沿って流下した遊技球２３の静電気は、前壁部１２０ｂに装着された金属板１２１を介して除去することができる。一方、後壁部１２０ｂに沿って流下した遊技球２３や、前壁部１２０ｂと後壁部１２０ａとの間を流下した遊技球２３は、金属板１２１と直接接触しないことがある。しかし、金属板１２１と直接接触しない遊技球２３であっても、第２供給通路１２０内に遊技球２３が滞留した状態において静電気を除去できるように構成されている。
【００９６】
例えば、図１３（ｂ）に示す遊技球２３が滞留した状態では、揺動部材１３０ａが第２位置にあり、揺動部材１３０ａと接する遊技球Ｂ１は、金属板１２１と直接接していない。しかし、遊技球Ｂ１は、他の遊技球（例えば、遊技球Ｂ２）と接しており、この遊技球Ｂ２と遊技球Ｂ２と接する遊技球Ｂ３とを介して金属板１２１と電気的に接続されている。したがって、遊技球Ｂ１の静電気を、他の遊技球（Ｂ２及びＢ３）を介して除去することができる。
【００９７】
また、賞球払出ユニットの後面１００ｆには、着脱可能な着脱壁部１５０が設けられている。着脱壁部１５０は、賞球払出ユニット１００の後面１００ｆに形成された後面穴部１００ｇに対して着脱自在に構成されている。着脱壁部１５０は、後面穴部１００ｇの内壁面に沿った外形を有するプレート部１５０ａと、プレート部１５０ａから後方に向かって突出した把持部１５０ｂと、を有する。把持部１５０ｂは、着脱壁部１５０を賞球払出ユニット１００に装着した状態において、賞球払出ユニット１００の後面１００ｆから後方に突出しており、操作者は把持部１５０ｂを持って着脱操作を容易に行うことができる。
【００９８】
第１右供給通路１０６と第１左供給通路１０７の後面には、後面穴部１００ｇと対向する位置に供給通路穴部１０６ａが形成されている。賞球払出ユニット１００から着脱壁部１５０が取り外されると、後面穴部１００ｇ及び供給通路穴部１０６ａを介して外部から第１右供給通路１０６と第１左供給通路１０７にアクセスできるように構成されている。よって、後面穴部１００ｇ及び供給通路穴部１０６ａから棒等を挿入することにより、第１右供給通路１０６及び第１左供給通路１０７の球詰まりを解消することができる。
【００９９】
また、供給通路穴部１０６ａの幅と後面穴部１００ｇの幅とは、いずれも遊技球２３の直径（例えば、１１ｍｍ）未満である。よって、第１右供給通路１０６及び第１左供給通路１０７に遊技球２３が有る状態において着脱壁部１５０が外れた場合であっても、第１右供給通路１０６及び第１左供給通路１０７から遊技球２３がこぼれることを防ぐことができる。
【０１００】
次いで、このように構成された賞球払出ユニット１００の前枠９に対する着脱操作について説明する。賞球供給通路４１の上面には、賞球払出ユニット１００の第２供給通路１２０を通過した遊技球２３が流入する穴部と、後端部から上方に突出した後壁部４１ｇと、左側端部から上方に突出した左壁部４１ｈと、が形成されている。
【０１０１】
賞球払出ユニット１００を前枠９に装着する際には、賞球払出ユニット１００の下方を前方に傾斜させた状態で、賞球供給通路４１の上方から賞球払出ユニット１００の底面１００ｄを賞球供給通路４１の上面４１ｃに載置する。そして、賞球払出ユニット１００の底面１００ｄを軸として、賞球払出ユニット１００の上部を前方に移動させ、賞球払出ユニット１００の流入口１０４及び１０５を球貯留タンク４０の流出口（図示せず）と連通させる。
【０１０２】
一方、賞球払出ユニット１００を前枠９から取り外す際には、賞球払出ユニット１００の上部を後方に移動した後に、賞球払出ユニット全体を後上方に移動することにより、賞球払出ユニット１００を前枠９に対して着脱することができ、賞球払出ユニット１００のメンテナンスを容易に行うことができる。
【０１０３】
《機能構成》
次に、図１６の機能ブロック図を参照しながら、本最良形態に係るパチンコ遊技機の機能を説明することとする。尚、ここに主として示す機能は、本発明と特に関連する、主制御基板２００／払出制御基板２３０間での機能である。
【０１０４】
（主制御基板２００）
まず、主制御基板２００（主制御手段１０００）は、遊技の進行や賞球払出決定に関する制御を司る遊技制御手段１１００と、払出制御基板２３０側等とのコマンド・情報の送受信の制御を司る送受信制御手段１２００と、払出関連の処理に関する情報を一時記憶するための処理関連情報一時記憶手段１４００と、主制御基板２００及び払出制御基板２３０等での賞球払出に関するエラーを制御するエラー制御手段１５００と、を有する。尚、遊技制御手段１１００は、従来機が有する周知構成である。具体的には、遊技制御手段１１００は、まず遊技の進行に関する処理としては、例えば、従来の第１種遊技機の場合を例に採ると、乱数発生、始動口入球を契機とした乱数取得、取得した乱数を用いての抽選、抽選結果に基づいた図柄（特別図柄）変動、抽選に当選している場合に通常は閉状態にある可変入賞口を開放する特別遊技の実行等、周知の処理を実行し、また、各入賞口に遊技球が入球した場合には、入賞口に対応した賞球数の払出決定処理を実行する。以下、本発明の特徴的な各手段について詳述する。
【０１０５】
まず、送受信制御手段１２００は、主制御基板２００から払出制御基板２３０等への送信制御を司る送信制御手段１２１０と、各種周辺機器（例えば、払出制御基板や各種信号出力装置）からの情報（信号も含む）を受信する受信制御手段１２２０と、を有している。
【０１０６】
ここで、送信制御手段１２１０は、払出制御基板２３０側にコマンドや情報を送信するための払出制御側送信制御手段１２１１を有している。そして、払出制御側送信制御手段１２１１は、賞球払出の際、払出制御基板２３０側に送信される賞球払出コマンドがセットされる送信コマンド一時記憶手段１２１１ａを更に有している。
【０１０７】
また、受信制御手段１２２０は、遊技機に備えられた信号出力装置（例えば、入賞口センサＳ１、Ｓ２・・・等）からの情報（信号）を受信する遊技側受信制御手段１２２１と、払出制御基板２３０からの情報を受信する払出制御側受信制御手段１１２２と、を有している。ここで、遊技側受信制御手段１２２１は、信号出力装置から受信した情報を、当該情報に係る処理が実行されるまで一時記憶するための遊技側受信情報一時記憶手段１２２１ａを更に有している。また、払出制御側受信制御手段１１２２は、払出制御基板２３０から受信した情報を、当該情報に係る処理が実行されるまで一時記憶するための払出制御側受信情報一時記憶手段１２２２ａを更に有している。
【０１０８】
次に、処理関連情報一時記憶手段１４００は、賞球払出の順番に到達していない未払賞球情報（待機賞球払出情報）を一時記憶するための未払賞球情報一時記憶手段１４１０を更に有している。
【０１０９】
次に、エラー制御手段１５００は、主制御基板２００及び払出制御基板２３０側での賞球払出に関するエラーを含む遊技関連エラー（例えば、賞球払出に関するエラー以外として扉開放エラー等）を監視すると共に、所定のエラーが発生した際に外部に異常を報知する制御を司る異常報知制御手段１５１０を更に有している。ここで、異常報知制御手段１５１０は、遊技関連エラーフラグのオンオフ状態を一時記憶するためのエラーフラグ一時記憶手段１５１１を更に有している。
【０１１０】
（払出制御基板２３０）
次に、払出制御基板２３０は、主制御基板２００側やカードユニットＣ側等とのコマンド・情報の送受信の制御を司る送受信制御手段３１００と、払出制御基板２３０側での払出等に関連したエラーの制御を実行するエラー制御手段３２００と、賞球払出コマンドや貸球コマンドを受けて所定数の遊技球の払出処理を実行する払出制御手段３３００と、を有している。以下、各手段について詳述する。
【０１１１】
まず、送受信制御手段３１００は、主制御基板２００やカードユニットＣからの情報（例えば、コマンドや信号）の受信制御を司る受信制御手段３１１０と、主制御基板２００やカードユニットＣへの情報の送信制御を司る送信制御手段３１２０と、を有している。
【０１１２】
ここで、受信制御手段３１１０は、主制御基板２００からの情報（例えば、コマンド）の受信制御を司るメイン側受信制御手段３１１１を更に有している。そして、メイン側受信制御手段３１１１は、主制御基板２００側から送信されてきた情報が一時記憶されるメイン側受信データ一時記憶手段３１１１ａを更に有している。
【０１１３】
次に、エラー制御手段３２００は、払出制御基板２３０側での払出等のエラーフラグのオンオフ状態を一時記憶するためのエラーフラグ一時記憶手段３２２１を更に有している。
【０１１４】
次に、払出制御手段３３００は、払出処理の際に必要な情報を一時記憶するための払出処理関連情報一時記憶手段３３１０を有している。ここで、払出処理関連情報一時記憶手段３３１０は、払出に関連した状態（例えば、払出中か否か・払出異常が発生しているか否か）を一時記憶するための払出状態フラグ一時記憶手段３３１１と、払出処理時に、払い出されるべき遊技球数がセットされる払出カウンタ３３１２と、を更に有している。
【０１１５】
《メイン制御基板／払出制御基板間で送受信されるコマンド・情報の内容》
次に、図１７を参照しながら、主制御基板２００及び払出制御基板２３０間で送受信されるコマンド及び情報の内容を説明する。ここで、本最良形態に係る主制御基板２００から払出制御基板２３０へのコマンドは、賞球払出コマンドであることの特定情報及び賞球個数の情報からなる。具体的には、ビット７〜４は、１００１固定である（当該コマンドが賞球払出コマンドであることの識別情報）。次に、ビット３〜０は、賞球個数に関するものであり、例えば、０（００００Ｂ）は賞球０個であることを意味し、１５（１１１１Ａ）は賞球１５個であることを意味する。
【０１１６】
次に、払出制御基板２３０から主制御基板２００側に送信される払出関連情報を説明することとする。ここで、払出関連情報（賞球払出関連情報又は払出異常関連情報）は、固定値、上皿満タンエラー情報（払出関連エラーＸ情報）、球切れエラー（払出関連エラーＹ情報）、他の払出関連エラー情報（例えばモータ故障エラー等）及び賞球払出完了情報からなる。具体的には、ビット７〜４は、０１１０固定である。次に、ビット３は、上皿満タンエラー情報（払出関連エラーＸ情報）であり、「０」は受け皿満タンでないことを意味し、「１」は受け皿満タン中であることを意味する。次に、ビット２は、球切れエラー情報（払出関連エラーＹ情報）であり、「０」は球切れが発生していないことを意味し、「１」は球切れが発生中であることを意味する。次に、ビット１は、他の払出関連エラー（例えばモータ故障エラー等）に関するものであり、「０」は他の払出関連エラー発生中でないことを意味し、「１」は他の払出関連エラー発生中であることを意味する。最後に、ビット０は、賞球払出完了に関するものであり、「０」は賞球払出完了であることを意味し、「１」は賞球払出未完了であることを意味する。
【０１１７】
《処理》
次に、図１８〜図２６のフローチャートを参照しながら、本最良形態に係るパチンコ遊技機で実行される制御処理を説明する。ここで、図１８〜図２２が、主制御基板２００側での処理を示すフローチャートである。また、図２３〜図２６が、払出制御基板２３０側での処理を示すフローチャートである。以下、順に説明することとする。
【０１１８】
《主制御基板側での処理》
まず、図１８〜図２２のフローチャートを参照しながら、主制御基板２００における処理を説明することとする。まず、図１８は、主制御基板２００側で実行されるメイン処理のフローチャートである。はじめに、ステップ１２００で、主制御手段１０００は、後述する未払出賞球管理処理を実行する。次に、ステップ１３００で、主制御手段１０００は、後述する払出制御基板２３０側へのコマンド送信制御処理を実行する。次に、ステップ１４００で、主制御手段１０００は、後述する払出制御基板２３０側からの情報受信制御処理を実行する。そして、ステップ１５００で、主制御手段１０００は、後述するエラー時対応制御処理を実行し、ステップ１２００に移行する。以下、各処理を詳述する。
【０１１９】
まず、図１９は、図１８のステップ１２００のサブルーチンに係る、未払出賞球（賞球払出コマンド送信前）管理処理のフローチャートを示したものである。まず、ステップ１２０５で、遊技側受信制御手段１２２１は、遊技側受信情報一時記憶手段１２２１ａを参照し、いずれかの入賞口センサＳ（Ｓ１、Ｓ２・・・）から入賞信号を受信したか否かを判定する。ステップ１２０５でＹｅｓの場合、ステップ１２１０で、遊技側受信制御手段１２２１は、受信した入賞信号に係る未払出賞球情報を、未払出賞球情報一時記憶手段１４１０に一時記憶し、次の処理（ステップ１３００の対払出制御基板送信制御処理）に移行する。尚、ステップ１２０５でＮｏの場合にも、次の処理（ステップ１３００の対払出制御基板送信制御処理）に移行する。
【０１２０】
次に、図２０は、図１８のステップ１３００のサブルーチンに係る、対払出制御基板送信制御処理のフローチャートを示したものである。まず、ステップ１３０５で、払出制御側送信制御手段１２１１は、第二回線（賞球払出中か否かに係るＯＮＯＦＦ信号を送信する線）の入力ポートを参照し、払出信号がＯＦＦであるか否か、即ち、現在払出が実行されていないか否かを判定する。ステップ１３０５でＹｅｓの場合、ステップ１３１０で、払出制御側送信制御手段１２１１は、未払賞球情報一時記憶手段１４１０を参照し、未払出賞球（まだ賞球払出コマンドを払出制御基板２３０側に送信していない賞球）が存在するか否かを判定する。ステップ１３１０でＹｅｓの場合、ステップ１３１５で、払出制御側送信制御手段１２１１は、エラーフラグ一時記憶手段１５１１を参照し、賞球払出を行うことが不適なエラーである賞球払出関連エラー（例えば、払出モータの故障に関するエラー、上皿満タン、球切れエラー等）が発生していないか否かを判定する。ステップ１３１５でＹｅｓの場合、ステップ１３２０で、払出制御側送信制御手段１２１１は、未払賞球情報一時記憶手段１４１０に一時記憶されている、今回払出処理が実行される順番の未払出賞球情報に対応した賞球数分の賞球払出コマンド（図１７参照）を、送信コマンド一時記憶手段１２１１ａにセットする。そして、ステップ１３２５で、払出制御側送信制御手段１２１１は、今回セットした賞球払出コマンドに対応する未払出賞球情報を、未払出賞球情報一時記憶手段１４１０から消去し、以後の情報をシフトさせる処理を実行する。次に、ステップ１３３０で、払出制御側送信制御手段１２１１は、送信コマンド一時記憶手段１２１１ａにセットした賞球払出コマンドを払出制御基板２３０側に送信し、次の処理（ステップ１４００の対払出制御基板受信制御処理）に移行する。尚、ステップ１３０５、ステップ１３１０及びステップ１３１５でＮｏの場合にも、次の処理（ステップ１４００の対払出制御基板受信制御処理）に移行する。
【０１２１】
次に、図２１は、図１８のステップ１４００のサブルーチンに係る、対払出制御基板受信制御処理のフローチャートを示したものである。まず、ステップ１４０５で、払出制御側受信制御手段１１２２は、払出制御側受信情報一時記憶手段１１２２ａを参照し、払出関連情報を受信したか否かを判定する。ここで、ステップ１４０５でＹｅｓの場合、ステップ１４１０で、エラー制御手段１５００は、受信した払出関連情報中にエラー情報（球切れエラー、上皿満タンエラー、他の払出関連エラー）が存在するか否かを判定する。ステップ１４１０でＹｅｓの場合、ステップ１４１５で、エラー制御手段１５００は、エラーフラグ一時記憶手段１５１１にアクセスし、該当するエラーに係るエラーフラグをオンにすることで、払出制御基板２３０側でのエラー情報を主制御基板２００側でも管理（一元管理）する。他方、ステップ１４１０でＮｏの場合、ステップ１４２０で、エラー制御手段１５００は、エラーフラグ一時記憶手段１５１１にアクセスし、払出制御基板２３０側でのエラーに係るエラーフラグをオフにする。そして、ステップ１４２５で、送受信制御手段１２００は、受信した払出関連情報中に賞球払出完了情報が存在するか否かを判定する。ステップ１４２５でＹｅｓの場合、ステップ１４３０で、送受信制御手段１２００は、送信コマンド一時記憶手段１２１１ａにセットされている賞球払出コマンド（今回の払出完了に係る賞球払出コマンド）をクリアし、次の処理（ステップ１５００のエラー時対応制御処理）に移行する。尚、ステップ１４０５及びステップ１４２５でＮｏの場合にも、次の処理（ステップ１５００のエラー時対応制御処理）に移行する。
【０１２２】
次に、図２２は、図１８のステップ１５００のサブルーチンに係る、エラー時対応制御処理のフローチャートを示したものである。まず、ステップ１４０５で、エラー制御手段１５００は、エラーフラグ一時記憶手段１５１１を参照し、エラーが発生しているか否かを判定する。ステップ１４０５でＹｅｓの場合、ステップ１４１０で、エラー制御手段１５００は、発生したエラーが重要エラーであるか（例えば、不正行為の危険性が高い上皿満タンエラー）否かを判定する。ステップ１４１０でＹｅｓの場合、ステップ１４１５で、エラー制御手段１５００は、外部出力端子板３９を介してホールコンピュータに対し、今回発生したエラーに対応したエラー情報を送信する。そして、ステップ１４２０で、エラー制御手段１５００は、今回発生したエラーに対応したエラー報知コマンドを演出制御基板２２０側に送信し、次の処理｛ステップ１２００の未払出賞球（賞球払出コマンド送信前）管理処理｝に移行する。尚、ステップ１４０５でＮｏの場合にも次の処理｛ステップ１２００の未払出賞球（賞球払出コマンド送信前）管理処理｝に移行し、ステップ１４１０でＮｏの場合にはステップ１４２０に移行する。
【０１２３】
ここで、表１は、主制御基板２００側から演出制御基板２３０側に送信されるエラー報知コマンドの一例を示したものである。このように、主制御基板２００側又は払出制御基板２３０側で発生したエラー内容と対応したエラー報知コマンドが送信される。
【表１】
2011167386.tif 000003
【０１２４】
《払出制御基板側での処理》
次に、図２３〜図２６を参照しながら、払出制御基板２３０側での処理を詳述する。まず、図２３は、払出制御基板２３０におけるメインルーチンを示すフローチャートである。はじめに、ステップ２１００で、払出制御基板（手段）２３０は、後述する賞球払出関連情報受信処理を実行する。次に、ステップ２２００で、払出制御基板（手段）２３０は、後述する賞球払出制御処理を実行する。そして、ステップ２３００で、払出制御基板（手段）２３０は、後述するエラー判定・エラー時対応制御処理を実行し、ステップ２１００に戻る。以下、各サブルーチンについて説明する。
【０１２５】
まず、図２４は、図２３のステップ２１００のサブルーチンに係る、賞球払出関連情報受信処理（対主制御基板）のフローチャートである。ここで、当該フローの前半が主制御基板２００からの情報受信処理（及びこれに伴う賞球払出数のセット処理）であり、当該フローの後半が主制御基板２００への情報送信処理である。そこで、前半の主制御基板２００からの情報受信処理（及びこれに伴う賞球払出数のセット処理）から説明すると、まず、ステップ２１０５で、メイン側受信制御手段３１１１は、払出状態フラグ一時記憶手段３３１１を参照し、モータ駆動中フラグがオフであるか否かを判定する。ここで、「モータ駆動中フラグ」とは、払出装置の払出モータが駆動動作中にオンになるフラグである。ステップ２１０５でＹｅｓの場合、ステップ２１１０で、メイン側受信制御手段３１１１は、メイン側受信情報一時記憶手段３１１１ａを参照し、賞球払出コマンドを受信したか否かを判定する。ステップ２１１０でＹｅｓの場合、ステップ２１１５で、払出制御手段３３００は、払出状態フラグ一時記憶手段３３１１のフラグ領域にアクセスし、賞球払出開始許可フラグをオンにする。次に、ステップ２１２０で、払出制御手段３３００は、メイン側受信情報一時記憶手段３１１１ａに一時記憶されている賞球払出コマンド情報に基づき、今回払い出されるべき賞球数を導き、当該賞球数情報を払出カウンタ３３１２にセットし、次の処理（ステップ２１５５）に移行する。以上で、通常の賞球払出処理が実行される際の、賞球払出数のセット処理を終了する。尚、ステップ２１０５及びステップ２１１０でＮｏの場合にも次の処理（ステップ２１５５）に移行する。
【０１２６】
次に、主制御基板２００への情報送信処理を説明すると、まず、ステップ２１５５で、送信制御手段３１２０は、エラーフラグ一時記憶手段３２２１を参照し、いずれかの払出関連エラー報知フラグがオンであるか否かを判定する。ここで、「払出関連エラー報知フラグ」とは、払出関連エラー｛例えば、払出関連エラーＸ（上皿満タンエラー）、払出関連エラーＹ（球切れエラー）、他の払出関連エラー（例えばモータ故障エラー）｝が発生した際にオンとなり、当該エラー報知が主制御基板側になされた後にオフとなるフラグである。ステップ２１５５でＹｅｓの場合、ステップ２１５７で、エラー制御手段３２００は、エラーフラグ一時記憶手段３２２１の、今回発生したエラーに対応した払出関連エラー報知フラグをオフにする。そして、ステップ２１６０で、送信制御手段３１２０は、今回発生したエラーに対応した払出関連エラー情報を主制御基板２００側に送信し、次の処理（ステップ２１６５）に移行する。尚、ステップ２１５５でＮｏの場合にも次の処理（ステップ２１６５）に移行する。
【０１２７】
次に、ステップ２１６５で、送信制御手段３１２０は、払出状態フラグ一時記憶手段３３１１を参照し、賞球払出完了フラグがオンであるか否かを判定する。ここで、「賞球払出完了フラグ」とは、払出制御手段３３００により賞球払出が完了したと判定された場合にオンとなるフラグである。ステップ２１６５でＹｅｓの場合、ステップ２１７０で、送信制御手段３１２０は、払出状態フラグ一時記憶手段３３１１のフラグ領域にアクセスし、賞球払出完了フラグをオフにする。そして、ステップ２１７０で、送信制御手段３１２０は、主制御基板２００側に対して賞球払出が完了した旨の情報を送信し、次の処理（ステップ２２００の賞球払出制御処理）に移行する。尚、ステップ２１６５でＮｏの場合にも、次の処理（ステップ２２００の賞球払出制御処理）に移行する。以上で、賞球払出完了情報送信処理を終了する。
【０１２８】
次に、図２５は、図２３のステップ２２００のサブルーチンに係る、賞球払出制御処理のフローチャートである。まず、ステップ２２０１で、払出制御手段３３００は、払出状態フラグ一時記憶手段３３１１を参照し、賞球払出強制停止フラグがオフであるか否かを判定する。ここで、「賞球払出強制停止フラグ」とは、後述するステップ２３００のエラー判定・エラー時対応制御処理にて払出関連エラー（本最良形態では上皿満タンエラーと球切れエラーを例示）が発生したことを契機としてオンとなる、賞球払出中に賞球払出を強制停止させるためのフラグである。ステップ２２０１でＹｅｓの場合、ステップ２２０５で、払出制御手段３３００は、払出状態フラグ一時記憶手段３３１１を参照し、賞球払出開始許可フラグ（図２４のステップ２１１５参照）がオンであるか否かを判定する。ステップ２２０５でＹｅｓの場合、ステップ２２１０及びステップ２２１５で、払出制御手段３３００は、払出状態フラグ一時記憶手段３３１１にアクセスし、賞球払出中フラグをオンにすると共に賞球払出開始許可フラグをオフにする。そして、ステップ２２２０で、払出制御手段３３００は、払出カウンタ３３１２にセットされている賞球払出個数が所定個数（例えば５個）以上であるか否かを判定する。ステップ２２２０でＹｅｓの場合、ステップ２２２５で、払出制御手段３３００は、所定個数分払い出されるよう、払出装置の払出モータを駆動制御する。他方、ステップ２２２０でＮｏの場合、即ち、払出カウンタ３３１２にセットされている賞球払出個数が所定個数に満たない場合には、払出制御手段３３００は、払出カウンタ３３１２にセットされている賞球払出個数分が払い出されるよう、払出装置の払出モータを駆動制御する。そして、ステップ２２３５で、払出制御手段３３００は、払出状態フラグ一時記憶手段３３１１にアクセスし、モータ駆動中フラグをオンにする。以上で、払出モータ駆動開始処理を終了する。
【０１２９】
次に、ステップ２２４０で、払出制御手段３３００は、スプロケット位置確認用センサからのＯＮＯＦＦ信号に基づき、ステップ２２２５又はステップ２２３０で予定していたモータ駆動が完了したか否かを判定する。ステップ２２４０でＹｅｓの場合、ステップ２２４５で、払出制御手段３３００は、スプロケット位置確認用センサからのＯＮＯＦＦ信号に基づき、スプロケットをデフォルト位置で停止させる。そして、ステップ２２５０で、払出制御手段３３００は、払出状態フラグ一時記憶手段３３１１にアクセスし、モータ駆動中フラグをオフにする。尚、ステップ２２４０でＮｏの場合には次の処理（ステップ２２５５）に移行する。以上で、払出モード停止処理を終了する。
【０１３０】
次に、ステップ２２５５で、払出制御手段３３００は、カウントセンサから遊技球検出信号を受信したか否かを判定する。ステップ２２５５でＹｅｓの場合、ステップ２２６０で、払出制御手段３３００は、払出カウンタ３３１２に一時記憶されているカウンタ値を１減算し、次の処理（ステップ２２６５）に移行する。尚、ステップ２２５５でＮｏの場合にも次の処理（ステップ２２６５）に移行する。以上で、遊技球検出時処理を終了する。
【０１３１】
次に、ステップ２２６５で、払出制御手段３３００は、払出カウンタ３３１２を参照し、カウント値が０であるか否かを判定する。ステップ２２６５でＹｅｓの場合、ステップ２２７０及びステップ２２７５で、払出制御手段３３００は、払出状態フラグ一時記憶手段３３１１にアクセスし、賞球払出中フラグをオフにすると共に賞球払出完了フラグをオンにし、次の処理（ステップ２３００のエラー判定・エラー時対応制御処理）に移行する。
【０１３２】
他方、ステップ２２０１でＮｏの場合、即ち、賞球払出強制停止フラグがオンである場合には、ステップ２２０３で、払出制御手段３３００は、払出状態フラグ一時記憶手段３３１１にアクセスし、賞球払出強制停止フラグをオフにする。そして、ステップ２２０７で、払出制御手段３３００は、払出状態フラグ一時記憶手段３３１１を参照し、モータ駆動中フラグがオンであるか否かを判定する。ここで、ステップ２２０７でＹｅｓの場合にはステップ２２４５に移行する。これにより、上皿の開口部から不正用具を侵入させることによる不正行為の実行可能性が生じた際、賞球払出予定数に到達していなくとも駆動中の払出モータが強制停止する。他方、ステップ２２０７でＮｏの場合には次の処理（ステップ２３００のエラー判定処理）に移行する。
【０１３３】
他方、ステップ２２０５でＮｏの場合、即ち、賞球払出開始許可フラグがオフである場合には、ステップ２２８０で、払出制御手段３３００は、払出状態フラグ一時記憶手段３３１１を参照し、モータ駆動中フラグがオンであるか否かを判定する。ここで、ステップ２２８０でＹｅｓの場合には、ステップ２２４０に移行して賞球払出動作を継続する。他方、ステップ２２８０でＮｏの場合には、ステップ２２８５で、払出制御手段３３００は、賞球払出中フラグがオフであるか否かを判定する。ステップ２２８５でＮｏの場合には、まだ払出を実行すべき賞球が存在すると判定し、ステップ２２２０に移行する。他方、ステップ２２８５でＹｅｓの場合及びステップ２２６５でＮｏの場合には、次の処理（ステップ２３００のエラー判定・エラー時対応制御処理）に移行する。
【０１３４】
次に、図２６は、図２３のステップ２３００のサブルーチンに係る、エラー判定・エラー時対応制御処理のフローチャートである。まず、ステップ２３０５で、エラー制御手段３２００は、球有りセンサ１０８ｂからの検出信号がＨＩＧＨ（ＯＮ）であるか否か、即ち、球切れエラー（球詰まりエラー）が発生しているか否かを判定する。ステップ２３０５でＹｅｓの場合、ステップ２３１０で、エラー制御手段３２００は、エラーフラグ一時記憶手段３２２１の球切れエラー報知処理予約フラグをオンにする。ここで、「球切れエラー報知処理予約フラグ」とは、球切れエラーの発生が確認された際にオンとなり、主制御基板側に球切れエラー情報が送信された際にオフとなるフラグである。次に、ステップ２３１５で、エラー制御手段３２００は、払出状態フラグ一時記憶手段３３１１の賞球払出強制停止フラグをオンにする。次に、ステップ２３２０で、エラー制御手段３２００は、揺動センサ１３０ｂからの検出信号がＨＩＧＨ（ＯＮ）であるか否か、即ち、上皿満タンエラーが発生しているか否かを判定する。ステップ２３２０でＹｅｓの場合、ステップ２３２５で、エラー制御手段３２００は、エラーフラグ一時記憶手段３２２１の上皿満タンエラー報知処理予約フラグをオンにする。ここで、「上皿満タンエラー報知処理予約フラグ」とは、上皿満タンエラーの発生が確認された際にオンとなり、主制御基板側に上皿満タンエラー情報が送信された際にオフとなるフラグである。次に、ステップ２３３０で、エラー制御手段３２００は、払出状態フラグ一時記憶手段３３１１の賞球払出強制停止フラグをオンにする。このように、球切れエラーや上皿満タンエラーが検出された場合、賞球払出に関しては、賞球払出強制停止フラグがオンとなるために当該検出された直後に賞球払出は強制停止する。他方、主制御基板側へのエラー発生情報送信に関しては、後述するように所定タイミング（エラー報知ポイント）に到達するまでは当該送信を留保すると共に、エラーが同時発生した場合には上皿満タンエラーの情報送信を優先させる。
【０１３５】
次に、ステップ２３３５で、送信制御手段３１２０は、所定タイミングであるエラー報知ポイントに到達したか否かを判定する。ステップ２３３５でＹｅｓの場合、ステップ２３４０で、送信制御手段３１２０は、エラーフラグ一時記憶手段３２２１を参照し、上皿満タンエラー報知処理予約フラグがオンであるか否かを判定する。ステップ２３４０でＹｅｓの場合、ステップ２３４５及びステップ２３５０で、送信制御手段３１２０は、エラーフラグ一時記憶手段３２２１の上皿満タンエラー報知処理予約フラグをオフにすると共に払出関連エラーＸ報知フラグをオンにし、次の処理（ステップ２１００の賞球払出関連情報送受信処理）に移行する。他方、ステップ２３４０でＮｏの場合、ステップ２３５５で、送信制御手段３１２０は、エラーフラグ一時記憶手段３２２１を参照し、球切れエラー報知処理予約フラグがオンであるか否かを判定する。ステップ２３５５でＹｅｓの場合、ステップ２３６０及びステップ２３６５で、送信制御手段３１２０は、エラーフラグ一時記憶手段３２２１の球切れエラー報知処理予約フラグをオフにすると共に払出関連エラーＹ報知フラグをオンにし、次の処理（ステップ２１００の賞球払出関連情報送受信処理）に移行する。尚、ステップ２３３５及びステップ２３５５でＮｏの場合にも次の処理（ステップ２１００の賞球払出関連情報送受信処理）に移行する。
【０１３６】
次に、本最良形態に係るパチンコ遊技機の作用について説明する。図２７は、本最良形態に係るパチンコ遊技機の作用を示すタイミングチャートである。まず、図２７の最上段は、球切れセンサ（球有りセンサ１０８ｂ）が球切れ状態（ＨＩＧＨ又はＯＮ）であるか正常状態（ＬＯＷ又はＯＦＦ）であるかを示している。次に、図２７の第二段は、満タンセンサ（揺動センサ１３０ｂ）が満タン状態（ＨＩＧＨ又はＯＮ）であるか正常状態（ＬＯＷ又はＯＦＦ）であるかを示している。最後に、最下段は、報知許可期間（エラー報知ポイント）と報知待機期間とが定期的｛例えば所定間隔（例えば１ｍｍｓｅｃ）の度に実行される割込み処理毎｝に切り替わる様子を示している。そこで、時系列的に説明すると、まず、球切れセンサがＬＯＷ状態からＨＩＧＨ状態になる。ここで、本最良形態では、エラー報知ポイントに到達していない場合にはエラー報知がなされないように構成されており、球切れセンサがＬＯＷ状態からＨＩＧＨ状態になった時点はエラー報知ポイントではない。したがって、球切れセンサがＨＩＧＨ状態となった時点ではエラー報知は実行されない。そして、このような球切れセンサがＨＩＧＨ状態でエラー報知が実行されていない状況下、満タンセンサもＬＯＷ状態からＨＩＧＨ状態となる。しかしながら、この満タンセンサがＬＯＷ状態からＨＩＧＨ状態となった時点もエラー報知ポイントでないため、満タンセンサがＬＯＷ状態からＨＩＧＨ状態となった時点ではエラー報知は実行されない。したがって、この時点で、球切れセンサ及び満タンセンサのいずれもがＨＩＧＨ状態であるにも拘わらず、エラー報知が実行されていない状況である。このような状況下、エラー報知ポイントに到達すると、エラー報知することが許可されることになるが、球切れセンサ及び満タンセンサのいずれもがＨＩＧＨ状態である場合には満タンセンサのエラー報知が優先的に実行される。即ち、エラー状態となったのは球切れセンサの方が先であるにも拘わらず、不正行為の危険性が高い満タンセンサのエラー状態報知（主制御基板側へのエラー報知）が先に実行される。このため、球切れセンサのエラー報知を先に実行してしまうことでの、当該報知処理が終了するまで満タンセンサのエラー状態報知を待機状態にし続ける事態を回避できると共に、球切れセンサのエラー報知実行途中から満タンセンサのエラー報知に強制切替する際の上書き処理も実行する必要が無くなる。尚、払出制御基板側から満タンセンサのエラー状態報知情報を受信した主制御基板側では、満タンセンサのエラー状態報知を実行する。具体的には、演出制御基板側に当該エラー状態報知コマンドを送信し、これを受信した演出制御基板側では、当該コマンドに対応したエラー報知（例えば液晶上に所定態様Ａを表示）を実行する。更には、満タンセンサエラーは不正行為の可能性もあるため、主制御基板側から外部端子板を介してホールコンピュータが側にエラー状態情報を送信する。これを受信したホールコンピュータ側では、例えば、インカム等を通じてホールスタッフに問題となっている遊技機を確認してもらう等の対策が講じられることとなる。その後、満タンセンサのエラー報知が終了した後、残る球切れセンサのエラー報知が実行される。尚、エラー報知処理は前述したタイミングで実行されるが、賞球払出強制停止処理は球切れセンサがＨＩＧＨ状態となった時点で実行される。
【符号の説明】
【０１３７】
Ｂ１，Ｂ２，Ｂ３：遊技球
Ｇ１，Ｇ２，Ｇ３，Ｇ４：ギア
ｒ１，ｒ４：半径
２：パチンコ機(遊技機)
３：遊技機枠
４：外枠
５：遊技盤ユニット
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄)表示装置
１７ａ：第１図柄
２２：ヒンジ
２３：遊技球
２６：レール飾り
２６ａ：外レール
２７：遊技釘
２８：普通入賞口
２９：始動入賞口
２９ａ：始動入賞口センサ
３０：アウト口
３１：大入賞口
３１ａ：大入賞口センサ
３２：装飾部材
３３：ゲート
３４：風車
３５：主制御基板ケース
３６：演出制御基板ケース
３７：払出制御基板ケース
３８：電源基板ケース
３９：外部出力端子板
４０：球貯留タンク
４１：賞球供給通路
４１ｃ：上面
４１ｇ：後壁部
４１ｈ：左壁部
４２：カバー部材
１００：賞球払出ユニット
１００ａ：右側面
１００ｃ：上面
１００ｄ：底面
１００ｆ：後面
１００ｇ：後面穴部（開口部）
１０１：右構成部材
１０１ａ：操作穴部
１０２：左構成部材
１０３：中央構成部材
１０３ａ：仕切り部
１０３ｂ：右突起壁部
１０３ｃ：左突起壁部
１０３ｅ：光孔部
１０４：右流入口
１０５：左流入口
１０６：第１右供給通路（第１供給通路）
１０６ａ：供給通路穴部
１０７：第１左供給通路（第１供給通路）
１０８：球有り検出手段
１０８ａ：球有り検出片
１０８ｂ：球有りセンサ
１１７：排出通路
１１８：切替弁
１１８ａ：回転軸
１１９：操作部材
１２０：第２供給通路
１２０ａ：後壁部（内壁面）
１２０ｂ：前壁部（内壁面）
１２０ｃ：球入口
１２０ｄ：球出口
１２０ｅ：傾斜面
１２１：金属板
１３０：滞留検出手段
１３０ａ：揺動部材
１３０ｂ：揺動センサ（揺動検出手段）
１３０ｃ：下端部
１３０ｄ：下面
１４１：回転体（球誘導部材）
１４１ａ：回転盤
１４１ｂ：保持部
１４１ｃ：回転軸
１４１ｄ：モータ
１４１ｅ：第１回転球通路（球通路）
１４１ｆ：第２回転球通路（球通路）
１４３：カウントセンサ（球検出部材）
１４３ａ：測定部
１５０：着脱壁部
１５０ａ：プレート部
１５０ｂ：把持部
２００  主制御基板
２２０  演出制御基板
２３０  払出制御基板
３２００  エラー制御手段
【図１】
2011167386.tif 000004
【図２】
2011167386.tif 000005
【図３】
2011167386.tif 000006
【図４】
2011167386.tif 000007
【図５】
2011167386.tif 000008
【図６】
2011167386.tif 000009
【図７】
2011167386.tif 000010
【図８】
2011167386.tif 000011
【図９】
2011167386.tif 000012
【図１０】
2011167386.tif 000013
【図１１】
2011167386.tif 000014
【図１２】
2011167386.tif 000015
【図１３】
2011167386.tif 000016
【図１４】
2011167386.tif 000017
【図１５】
2011167386.tif 000018
【図１６】
2011167386.tif 000019
【図１７】
2011167386.tif 000020
【図１８】
2011167386.tif 000021
【図１９】
2011167386.tif 000022
【図２０】
2011167386.tif 000023
【図２１】
2011167386.tif 000024
【図２２】
2011167386.tif 000025
【図２３】
2011167386.tif 000026
【図２４】
2011167386.tif 000027
【図２５】
2011167386.tif 000028
【図２６】
2011167386.tif 000029
【図２７】
2011167386.tif 000030